(57)【特許請求の範囲】
【請求項１】
釣り糸を案内するガイドリングと、
上記ガイドリングの径方向における両側から釣竿の先端側にそれぞれ延び、下端で互いに近接し、上記下端に釣竿本体との取付のための第１取付部を備えた一対の側支脚と、
上記ガイドリングの下側から延び下端に上記釣竿本体との取付のための第２取付部を備えた１つの後支脚と、を備える釣り糸ガイドであって、
上記釣り糸ガイドを正面から見るとき、上記ガイドリングは外側輪郭線を有し、上記側支脚は上記ガイドリングの外側輪郭線と第１結合点で結合する外側輪郭線を有し、上記後支脚は上記ガイドリングの外側輪郭線と結合する外側輪郭線を有し、
上記釣り糸ガイドを側面から見るとき、上記ガイドリングは釣竿の後端側に面する後方輪郭線を有し、上記側支脚は上記ガイドリングの外側輪郭線と上記第１結合点で結合する上側輪郭線と第２結合点で結合する下側輪郭線とを有し、上記後支脚は上記ガイドリングの後方輪郭線と結合し上記釣竿後端側に面する後方輪郭線を有し、
上記ガイドリングの後方輪郭線は上記第１及び第２取付部の下面に接する第１水平線に垂直な垂直線に対して上記釣竿先端側に第１角度で傾斜し、
上記後支脚の後方輪郭線は上記第１角度以下の角度で上記ガイドリングの後方輪郭線に対して上記釣竿先端側に傾斜し、
上記釣り糸ガイドを正面から見るとき、上記側支脚の外側輪郭線は上記第１取付部の下面との境界点で上記第１水平線に対して４５°以上９０°以下の角度で傾斜しており、
上記ガイドリングを直角方向から見るとき、上記ガイドリングの外側輪郭線は上記ガイドリングの中心を中心とし上記ガイドリングの中心に対して第２角度で下側に位置する両終点を有する円弧と、上記円弧の終点と上記後支脚の外側輪郭線の間に直線または上記ガイドリングの外側輪郭線より外側に中心を有する第１曲線を含み、
上記ガイドリングを直角方向から見るとき、上記第１結合点は上記ガイドリングの中心より上側に上記ガイドリングの中心に対して第３角度で位置し上記第２結合点は上記ガイドリングの中心より下側に位置する、
釣り糸ガイド。
【請求項２】
上記第１角度は５゜〜２０゜の範囲である、
請求項１に記載の釣り糸ガイド。
【請求項３】
上記後支脚の後方輪郭線は、上記ガイドリングの後方輪郭線から上記第１角度以下の角度に延びる、
請求項１に記載の釣り糸ガイド。
【請求項４】
上記後支脚の後方輪郭線は上記第１水平線に垂直である、
請求項３に記載の釣り糸ガイド。
【請求項５】
上記第２角度は３０゜〜４５゜である、
請求項１に記載の釣り糸ガイド。
【請求項６】
上記第３角度は２５゜〜４０°である、
請求項１に記載の釣り糸ガイド。
【請求項７】
上記側支脚の外側輪郭線は上記第１取付部の下面との境界点から上方に延びる第２曲線と上記第２曲線から上記第１結合点に延びる第３曲線とを含み、
上記釣り糸ガイドを正面から見るとき、上記第２曲線は上記側支脚の外側輪郭線より外側に中心を有し、上記第３曲線は上記側支脚の外側輪郭線より内側に中心を有し、
上記釣り糸ガイドは上記釣り糸ガイドを正面から見るとき上記第３曲線の範囲に最大幅を有する、
請求項１に記載の釣り糸ガイド。
【請求項８】
上記釣り糸ガイドは上記第１水平線と上記第１水平線に平行で上記ガイドリングの中心を通る第２水平線との間の高さを半分に分ける第３水平線の上側に上記最大幅を有し、
上記第２曲線は上記第３水平線の下側に位置する、
請求項７に記載の釣り糸ガイド。
【請求項９】
上記側支脚の上側輪郭線は上記第１取付部から上方に延びる第４曲線と、上記第４曲線から上記第１結合点に延び上記側支脚の外側輪郭線の上記第３曲線の範囲に存在する第５曲線とを含み、
上記釣り糸ガイドを側面から見るとき、上記第４曲線は上記上側輪郭線より上記釣竿の後端側に位置する中心を有し上記第５曲線は上記上側輪郭線より上記釣竿の先端側に位置する中心を有し、上記第４曲線と上記第５曲線の境界における接線は上記垂直線に対して上記釣竿の後端側に第４角度で傾いている、
請求項７に記載の釣り糸ガイド。
【請求項１０】
上記側支脚の上側輪郭線は上記第４曲線と上記第５曲線の間に上記第４角度で傾斜する直線をさらに含む、
請求項９に記載の釣り糸ガイド。
【請求項１１】
上記第４角度は３０゜〜６０゜の範囲である、
請求項９に記載の釣り糸ガイド。
【請求項１２】
上記第１水平線に平行に上記最大幅を通る第４水平線の上側に上記第５曲線が位置する、
請求項９に記載の釣り糸ガイド。
【請求項１３】
上記側支脚の外側輪郭線と上側輪郭線はＳ字状を有する、
請求項１に記載の釣り糸ガイド。
【請求項１４】
上記第１取付部の上記釣竿先端側の端と上記第２取付部の上記釣竿後端側の端との間の長さは、上記第１水平線と上記ガイドリングの上端との間の高さより小さい、
請求項１に記載の釣り糸ガイド。
【請求項１５】
上記側支脚は上記ガイドリングに隣接する開口を有する、
請求項１に記載の釣り糸ガイド。
【請求項１６】
上記第１取付部及び上記第２取付部はリング状を有する、
請求項１に記載の釣り糸ガイド。
【請求項１７】
請求項１〜請求項１６のうちいずれか１項の釣り糸ガイドを備える釣竿。
【発明の詳細な説明】
【技術分野】
【０００１】
本発明は釣竿に取り付けられて釣り糸を案内する釣り糸ガイド及びこれを装着した釣竿に関するものである。
【背景技術】
【０００２】
仕掛けのキャスト時または釣りの途中に釣り糸を案内するために釣り糸ガイドが釣竿に取り付けられる。釣り糸ガイドを通過して釣り糸が移動するので、釣り糸が釣り糸ガイドに引っ掛かると釣り糸ガイドで釣り糸の絡みが発生するようになる。釣り糸ガイドはこのような釣り糸の絡みを解消するように設計されることが重要である。【０００３】
釣り糸の絡みを誘発する一つの要因として、近年釣り糸として広く使われている「ＰＥライン」が考えられる。ＰＥラインは超高分子量のポリエチレンのマルチフィラメントからなる。ＰＥラインはナイロンラインやフロロカーボンラインよりも高い強度を有する。しかし、ＰＥラインはモノフィラメントラインとは異なりいわゆるブレイデッドライン（ｂｒａｉｄｅｄ  ｌｉｎｅ）であるため、張りがなく非常に柔軟である。従って、ＰＥラインは従来の釣り糸に比べて糸絡みを発生させやすい。また、ＰＥラインは伸びが少なく、張力がかかったときの衝撃を吸収するのが難しい。衝撃の吸収のために、ＰＥラインより直径の大きいモノフィラメントライン（リーダー（ｌｅａｄｅｒ））がＰＥラインの先端に結束部を通じて結束される。リーダーがＰＥラインより太いので、結束部はＰＥラインより大きくて厚い形状を有することになる。従って、このような結束部を有する釣り糸は仕掛けのキャスト時に釣り糸ガイドに引っ掛かり易く、釣り糸の糸絡みを誘発しやすい。【０００４】
釣り糸の絡みを誘発するもう１つの要因として、釣り糸ガイドのうちチョークガイド（ｃｈｏｋｅ  ｇｕｉｄｅ）の機能が考えられる。チョークガイドは仕掛けのキャスト時にリールから螺旋状に放出される釣り糸を直線化させる。従って、チョークガイドは釣り糸に多くの抵抗を加えるようになる。このようなチョークガイドの機能により、チョークガイドで釣り糸の絡みが多く発生する。
【先行技術文献】
【特許文献】
【０００５】
【特許文献１】特許第４７５５６７０号公報
【特許文献２】特開２０００−２５３７７８号公報
【特許文献３】意匠登録第１０３７０５４号公報
【非特許文献】
【０００６】
【非特許文献１】富士工業株式会社総合カタログ２００６（２００６年１月２０日発行、第１３頁）
【発明の概要】
【発明が解決しようとする課題】
【０００７】
特許第４７５５６７０号公報は、ガイドリングを通過する前の釣り糸が釣り糸ガイドに巻きつく糸絡みを解消するように設計された釣り糸ガイドを開示する。しかし、この文献が開示する釣り糸ガイドはチョークガイドとして使用されるには満足でない。【０００８】
図１Ａ〜図１Ｃを参照して従来の釣り糸ガイドを説明する。釣り糸ガイド２０は釣り糸１４を案内するガイドリング２１とガイドリング２１から釣竿１０のリール側に延びる一対の側支脚２２Ｌ，２２Ｒを有する。側支脚２２Ｌ，２２Ｒがリールに向かっているので、リールから螺旋状に放出された釣り糸１４は側支脚２２Ｌ，２２Ｒに断続的に接触することになり（図１Ａ及び図１ＣにＣＰ１で示した部分参照）、釣り糸１４が摩耗しやすい。また、図１Ｃに示すように、従来の釣り糸ガイド２０ではガイドリング２１と側支脚２２Ｌ，２２Ｒが略同一の方向に傾いており、その間の角度（α１）が非常に小さく、その間に狭い間隙（Ｇ）が存在する。このような狭い間隙（Ｇ）に釣り糸１４０が挟み込まれると釣り糸の絡みが発生する。ＰＥライン１４ａとリーダー１４ｂを結束する結束部１４ｃは解除されないように堅固に結束しているので、硬質化している。従って、釣り糸を直線化する過程で釣り糸に大きな抵抗が加えられるとき、結束部１４ｃは不規則的に動きやすい。特に、結束部１４ｃがガイドリング２１と側支脚２２Ｌ，２２Ｒの間の間隙（Ｇ）に挟まると、釣り糸１４の糸絡みを解消することは非常に難しくなる。【０００９】
釣り糸の糸絡みを解消するためには、釣り糸ガイドは釣り糸の移動を阻止しないように設計されなければならない。しかし、従来の釣り糸ガイドは釣り糸の円滑な移動を実現するのに不十分である。図２Ａ〜図２Ｄは富士工業株式会社のカタログに含まれる従来の釣り糸ガイドを示し、釣り糸の糸絡み解除時に釣り糸の移動が阻止される例を示す。【００１０】
図２Ａを参照すると、ガイドリング３１と支脚３３の間には凹部３４が形成されており、釣り糸１４がガイドリング３１の下端に引っ掛かりガイドリング４１側への移動が阻止される。図２Ｂを参照すると、支脚３２Ｌ，３２Ｒと釣竿１０の間の角度（α２）が狭く、これらの間に釣り糸１４が挟まって移動が阻止される。図２Ｃおよび図２Ｄを参照すると、ガイドリング３１の外周は広い範囲にわたり円弧を有している。このような場合、釣り糸１４はガイドリング３１の外周を越えてガイドリング３１の上面へ移動することができず、ガイドリング３１の裏面に入り込んでガイドリング３１に引っ掛かるようになり（図２Ｃにおいて破線参照）、釣り糸の移動が阻止される。【００１１】
図３Ａ〜図３Ｃは意匠登録第１０３７０５４号公報が開示する従来の釣り糸ガイドを示す。この文献が開示する釣り糸ガイドもまたチョークガイドとして用いるには満足でない。図３Ａを参照すると、釣り糸ガイド４０はガイドリング４１からリール側に延びる一対の後支脚４３Ｌ，４３Ｒを有し、後支脚４３Ｌ，４３Ｒの間に間隙４４が存在する。釣り糸の結束部１４ｃが間隙４４に入ると、間隙４４から抜け出し難くなり釣り糸の絡みを誘発する。【００１２】
ＰＥラインとリーダーからなる釣り糸を用いる釣りでは、１００ｇ程度の重い錘を１００ｍ程度飛ばすキャスト、すなわち大きな負荷をかけて仕掛けをキャストする例がある。このような釣りの例では、螺旋上の釣り糸を直線化することは容易でない。また、釣り糸ガイドのガイドリングを通過した後にも、釣り糸は完全に直線化せず釣り糸の軌跡は若干の螺旋状をとるようになる。このような場合、釣り糸に加えられる抵抗を増加させないように、釣り糸ガイドはガイドリングの側方から延びる支脚に釣り糸が接触しないように設計しなければならない。しかし、図３Ｂおよび図３Ｃに示すように、ガイドリング４１の側方から釣竿の先端側に延びる側支脚４２Ｌ，４２Ｒが、釣り糸ガイド４０を正面からみるとき、ガイドリング４１の最も外側に見える線よりも内側に入る形状でガイドリング４１から延びると、ガイドリング４１を通過した後でも若干の螺旋状をとるようになる釣り糸の一部（例えば、図３Ｂおよび図３Ｃにおいてリーダー１４ｂ）が後支脚４３Ｌ，４３Ｒに接触して（図３Ｂおよび図３ＣにＣＰ２で指示した部分参照）、釣り糸に抵抗を加え、仕掛けの飛距離を減少させる。【００１３】
また、前述した大きな負荷をかけて仕掛けをキャストする例において、釣り糸を直線化するチョークガイドに加えられる衝撃が大きく、チョークガイドがその衝撃により振動するようになる。このような釣りの例ではチョークガイドの振動を抑制する必要があり、チョークガイドの撓みが少なくなるようにチョークガイドは高い剛性を有さなければならない。しかし、従来のチョークガイドは撓みの減少という点で満足でない。例えば、図４に示す日本特許公開公報第２０００−２５３７７８号が開示するチョークガイドにおいて、ガイドリング５１から延びる支脚５２Ｌの長さＬが長いため、チョークガイドは十分な剛性を持つことができず、支脚５２Ｌの撓みによってチョークガイド全体が振動し得る。これは不利なキャストの原因となる。【００１４】
本発明はこのような従来技術の問題点を解決するために創案されたものであって、釣り糸の磨耗を低減させ、釣り糸に加えられる抵抗を減少させて釣り糸の糸絡みを円滑に解消しながら大きな剛性を有する釣り糸ガイド及びこれを備える釣竿を提供することを目的とする。
【課題を解決するための手段】
【００１５】
本発明の一側面によれば、釣竿に取り付けられ釣り糸を案内する釣り糸ガイドが提供される。例示的実施例において、釣り糸ガイドは、釣り糸を案内するガイドリングと、上記ガイドリングの径方向における両側から釣竿の先端側にそれぞれ延び、下端で互いに近接して、上記下端に釣竿本体との取付のため第１取付部を備えた一対の側支脚と、上記ガイドリングの下側から延びて下端に上記釣竿本体との取付のための第２取付部を備えた１つの後支脚とを備える。上記釣り糸ガイドを正面から見るとき、上記ガイドリングは外側輪郭線を有し、上記側支脚は上記ガイドリングの外側輪郭線と第１結合点で結合する外側輪郭線を有し、上記後支脚は上記ガイドリングの外側輪郭線と結合する外側輪郭線を有する。上記釣り糸ガイドを側面から見るとき、上記ガイドリングは上記釣竿の後端側に面する後方輪郭線を有し、上記側支脚は上記ガイドリングの外側輪郭線と上記第１結合点で結合する上側輪郭線と第２結合点で結合する下側輪郭線とを有し、上記後支脚は上記ガイドリングの後方輪郭線と結合し上記釣竿後端側に面する後方輪郭線を有する。上記ガイドリングの後方輪郭線は上記第１及び第２取付部の下面に接する第１水平線に垂直な垂直線に対して上記釣竿先端側に第１角度で傾斜する。上記後支脚の後方輪郭線は上記第１角度以下の角度で上記ガイドリングの後方輪郭線に対して上記釣竿先端側に傾斜する。上記釣り糸ガイドを正面から見るとき、上記側支脚の外側輪郭線は上記第１取付部の下面との境界点で上記第１水平線に対して４５°以上９０°以下の角度で傾斜する。上記ガイドリングを直角方向から見るとき、上記ガイドリングの外側輪郭線は上記ガイドリングの中心を中心として上記ガイドリングの中心に対して第２角度で下側に位置する両終点を有する円弧と、上記円弧の終点と上記後支脚の外側輪郭線との間に直線または上記ガイドリングの外側輪郭線より外側に中心を有する第１曲線を含む。上記ガイドリングを直角方向から見るとき、上記第１結合点は上記ガイドリングの中心より上側に上記ガイドリングの中心に対して第３角度で位置し、上記第２結合点は上記ガイドリングの中心より下側に位置する。
【００１６】
実施例において、上記後支脚の後方輪郭線は上記ガイドリングの後方輪郭線から上記第１角度以下の角度で延びる。上記後支脚の後方輪郭線は上記第１水平線に垂直となることができる。【００１７】
実施例において、上記第１角度は５゜〜２０゜の範囲であり、上記第２角度は３０゜〜４５゜の範囲であり、上記第３角度は２５゜〜４０゜の範囲である。【００１８】
実施例において、上記側支脚の外側輪郭線は上記第１取付部の下面との境界点から上方に延びる第２曲線と上記第２曲線から上記第１結合点に延びる第３曲線とを含む。釣り糸ガイドを正面から見るとき、上記第２曲線は上記側支脚の外側輪郭線より外側に中心を有し、上記第３曲線は上記側支脚の外側輪郭線より内側に中心を有する。上記釣り糸ガイドを正面から見るとき、上記釣り糸ガイドは上記第３曲線の範囲に最大幅を有する。【００１９】
実施例において、上記釣り糸ガイドは上記第１水平線と上記第１水平線に平行で上記ガイドリングの中心を通る第２水平線との間の高さを半分に分ける第３水平線の上側に上記最大幅を有し、上記第２曲線は上記第３水平線の下側に位置する。【００２０】
実施例において、上記側支脚の上側輪郭線は、上記第１取付部から上方に延びる第４曲線と、上記第４曲線から上記第１結合点に延び上記側支脚の外側輪郭線の上記第３曲線の範囲に存在する第５曲線とを含む。上記釣り糸ガイドを側面から見るとき、上記第４曲線は上記上側輪郭線より上記釣竿の後端側に位置する中心を有し、上記第５曲線は上記上側輪郭線より上記釣竿の先端側に位置する中心を有し、上記第４曲線と上記第５曲線との境界における接線は上記垂直線に対して上記釣竿の後端側に第４角度で傾斜する。【００２１】
このような例で、上記側支脚の上側輪郭線は上記第４曲線と上記第５曲線との間に上記第４角度で傾斜する直線をさらに含むことができる。上記第４角度は３０゜〜６０゜の範囲である。また、上記第５曲線は上記第１水平線に平行に上記最大幅を通る第４水平線の上側に位置する。【００２２】
実施例において、上記側支脚の外側輪郭線と上側輪郭線はＳ字形状を有する。
実施例において、上記第１取付部の上記釣竿先端側の端と上記第２取付部の上記釣竿後端側の端との間の長さは、上記第１水平線と上記ガイドリングの上端との間の高さより小さい。【００２３】
実施例において、上記側支脚は上記ガイドリングに隣接する開口を有する。
実施例において、上記第１取付部及び上記第２取付部はリング形状を有する。【００２４】
本発明の他の側面は少なくとも一つの前述した釣り糸ガイドを備える釣竿を提供する。
【発明の効果】
【００２５】
実施例による釣り糸ガイドによれば、ガイドリングは下側外周に円弧形状を有さず、側支脚は釣り糸ガイドを正面及び側面から見るときＳ字状に湾曲しており、１つの後支脚はガイドリングに対して釣竿の先端側に釣竿に垂直に曲がっている。このようなガイドリング、側支脚、後支脚により、釣り糸ガイドは釣り糸の磨耗を低減し、釣り糸の抵抗を減少させて糸絡みを円滑に解消でき短い全長を有することができる。また、釣り糸ガイドを正面から見るとき、釣り糸ガイドの側支脚が水平線に対して４５゜以上の角度で上方に延び、釣り糸ガイドを側面からみるとき、側支脚がＳ字状に湾曲しているので、側支脚は曲げに対して大きい抵抗力を有し、釣り糸ガイドの剛性が増大して撓みを減少させることができる。
【図面の簡単な説明】
【００２６】
【図１Ａ】従来の釣り糸ガイドの一例を示す図である。
【図１Ｂ】従来の釣り糸ガイドの一例を示す図である。
【図１Ｃ】従来の釣り糸ガイドの一例を示す図である。
【図２Ａ】従来の釣り糸ガイドにおいて釣り糸が引っ掛かる例を示す図である。
【図２Ｂ】従来の釣り糸ガイドにおいて釣り糸が引っ掛かる例を示す図である。
【図２Ｃ】従来の釣り糸ガイドにおいて釣り糸が引っ掛かる例を示す図である。
【図２Ｄ】従来の釣り糸ガイドにおいて釣り糸が引っ掛かる例を示す図である。
【図３Ａ】従来の釣り糸ガイドの他の例を示す図である。
【図３Ｂ】従来の釣り糸ガイドの他の例を示す図である。
【図３Ｃ】従来の釣り糸ガイドの他の例を示す図である。
【図４】従来の釣り糸ガイドのさらに他の例を示す図である。
【図５】実施例による釣竿の側面図である。
【図６】図５に示す釣竿の一部を示す側面図である。
【図７】一実施例による釣り糸ガイドを示す斜視図である。
【図８】図７に示す釣り糸ガイドの正面図である。
【図９】図７に示す釣り糸ガイドの側面図と釣り糸ガイドの正面図においてガイドリングを直角方向から見た図である。
【図１０】釣り糸ガイドの正面図においてガイドリングを直角方向から見た図である。
【図１１Ａ】釣り糸ガイドの構成要素の輪郭線を示す図である。
【図１１Ｂ】釣り糸ガイドの構成要素の輪郭線を示す図である。
【図１１Ｃ】釣り糸ガイドの構成要素の輪郭線を示す図である。
【図１２】図７に示す釣り糸ガイドの側面図と正面図を共に示す図である。
【図１３Ａ】実施例による釣り糸ガイドで糸絡みが発生するのを例示する斜視図である。
【図１３Ｂ】実施例による釣り糸ガイドで糸絡みが発生するのを例示する斜視図である。
【図１３Ｃ】実施例による釣り糸ガイドで糸絡みが発生するのを例示する斜視図である。
【図１３Ｄ】実施例による釣り糸ガイドで糸絡みが発生するのを例示する斜視図である。
【図１４】実施例による釣り糸ガイドにおける糸絡みの解消を例示する斜視図である。
【図１５Ａ】図１４に示す釣り糸の移動をそれぞれ示す図である。
【図１５Ｂ】図１４に示す釣り糸の移動をそれぞれ示す図である。
【図１５Ｃ】図１４に示す釣り糸の移動をそれぞれ示す図である。
【図１５Ｄ】図１４に示す釣り糸の移動をそれぞれ示す図である。
【図１６】実施例による釣り糸ガイドにおける糸絡みの解消を例示する斜視図であり、図１４における釣り糸の移動の次の移動を示す図である。
【図１７Ａ】図１６に示す釣り糸の移動を示す側面図及びダイヤグラムを示す図である。
【図１７Ｂ】図１６に示す釣り糸の移動を示す側面図及びダイヤグラムを示す図である。
【図１８】実施例による釣り糸ガイドにおける糸絡みの解消を例示する斜視図であり、図１６における釣り糸の移動の次の移動を示す図である。
【図１９Ａ】図１８における釣り糸の移動を示す図である。
【図１９Ｂ】図１８における釣り糸の移動を示す図である。
【図２０Ａ】実施例による釣り糸ガイドにおいて釣り糸の結束部が引っ掛からないことを例示する図である。
【図２０Ｂ】実施例による釣り糸ガイドにおいて釣り糸の結束部が引っ掛からないことを例示する図である。
【図２０Ｃ】実施例による釣り糸ガイドにおいて釣り糸の結束部が引っ掛からないことを例示する図である。
【図２１Ａ】他の実施例による釣り糸ガイドの正面図である。
【図２１Ｂ】他の実施例による釣り糸ガイドの側面図である。
【図２２】さらに他の実施例による釣り糸ガイドの側面図である。
【図２３】さらに他の実施例による釣り糸ガイドを示す斜視図である。
【発明を実施するための形態】
【００２７】
添付の図面を参照して本発明による釣り糸ガイドの実施例とこれを備える釣竿の実施例を説明する。図面において同一の参照番号は同一または対応する要素または部品を指示する。
【００２８】
本明細書で用いられた「前方」、「前」などの方向指示語は釣竿の先端（ｔｉｐ）側に向かう方向を意味し、「後方」、「後」などの方向指示語は釣竿の後端（ｂｕｔｔ）側に向かう方向を意味する。また、本明細書で用いられた「上方」、「上側」などの方向指示語はガイドリングが支脚の取付部に対して位置する方向を基準とし、「下方」、「下側」などの方向指示語はその反対方向を意味する。
【００２９】
また、本明細書に用いられた「輪郭線」という用語は、釣り糸ガイドの正面図または側面図において釣り糸ガイドを構成する構成要素の最外側に見える線をいう。例えば、「外側輪郭線」は釣り糸ガイドを正面から見るとき構成要素の最も外側に位置する線をいう。「上側輪郭線」または「下側輪郭線」は釣り糸ガイドを側面から見るとき構成要素の最も上方または最も下方に位置する線をいい、「後方輪郭線」は構成要素の最も後方に位置する線をいう。
【００３０】
図５及び図６は実施例による釣竿を示す。図５及び図６において、矢印（Ｔ）は釣竿の先端側に向かう方向を指し示し矢印（Ｂ）は釣竿の後端側に向かう方向を指し示す。釣竿１００は実施例による釣り糸ガイドを１つ以上備える。
【００３１】
釣竿１００は細長い本体１１０を有する。釣竿１００は本体１１０の後方にリール１３０を取り付けるためのリールシート１２２を有する。リール１３０は釣り糸が巻きつけられるスプール１３２を有し、リール１３０はスプール１３２の前端面が釣竿の軸線（ＡＬ）に垂直な垂直線に対して所定の角度（例えば、４°〜５°）で傾くようにリールシート１２２に装着される。実施例による釣り糸ガイド２００はリールシート１２２の前方で本体１１０に取り付けられる。釣り糸ガイド２００は、その取付部を釣竿の本体１１０に密着させ、捲き糸で取付部及び本体１１０を稠密に巻きつけて釣竿の本体１１０に取り付けられる。また、本体１１０に巻きつけられた捲き糸に接着剤が塗布され、コーティング層１２４が形成される。
【００３２】
図７〜図２３を参照して釣竿１００に取り付けられる釣り糸ガイドの実施例を説明する。実施例による釣り糸ガイド２００，３００，４００，５００は仕掛けのキャスト時にリール１３０から螺旋状に放出される釣り糸を直線化させながら案内する部品であって、当該分野において「チョークガイド（ｃｈｏｋｅ  ｇｕｉｄｅ）」として参照される。チョークガイドとしての釣り糸ガイド２００，３００，４００，５００は１つまたは複数が釣竿１００に取り付けられる。実施例による釣り糸ガイド２００，３００，４００，５００は、釣り糸が通過し、実質的に円形を有するガイドリングと、ガイドリングの径方向における対向する両側から釣竿の先端側にそれぞれ延びる一対の側支脚と、ガイドリングの下側から側支脚と所定の間隔をおいて延びる１つの後支脚を含む。側支脚と後支脚はその下端に釣竿への取付のための取付部を備える。
【００３３】
図７〜図１２を参照して、一実施例による釣り糸ガイド２００を説明する。釣り糸ガイド２００は釣り糸が通過するガイドリング２１０と、ガイドリング２１０の径方向における両側から釣竿１００の先端側に（矢印（Ｔ）で示す方向に）延びる一対の側支脚２２０Ｌ，２２０Ｒと、ガイドリング２１０の下側から側支脚２２０Ｌ，２２０Ｒと離隔して延びる１つの後支脚２３０を含む。釣り糸ガイド２００を構成する前述した部品は金属材料からなり、例えばプレス加工によって形成される。
【００３４】
ガイドリング２１０は実質的に円形であり、その中に釣り糸が通過する円形の開口を備える。仕掛けのキャスト時に、釣り糸は上記開口を通過しながら直線化して、ガイドリング２１０により案内される。
【００３５】
ガイドリング２１０は硬質リング２１２と硬質リング２１２を保持保持する保持リング２１４からなる。硬質リング２１２は実質的に円形であり、その中にガイドリング２１０の上記開口を形成する。硬質リング２１２は仕掛けのキャスト時または釣りの途中に釣り糸と接触する。硬質リング２１２はセラミック、金属などの耐摩耗性に優れた硬質材料からなる。保持リング２１４は実質的に円形であり、その内周面に硬質リング２１２が嵌められ硬質リング２１２を保持する。この実施例におけるガイドリング２１０は釣り糸が通過する硬質リング２１２と硬質リング２１２を保持する保持リング２１４からなるが、ガイドリング２１０は所望の強度、硬度、耐摩耗性などが満たされれば１つの円形のリング状の部品からなることができる。
【００３６】
一対の側支脚２２０Ｌ，２２０Ｒはガイドリング２１０の中心を通る垂直線に対して対称に形成される。一対の側支脚２２０Ｌ，２２０Ｒはガイドリング２１０の径方向における両側からそれぞれ延びる。例えば、釣り糸ガイド２００を正面から見るとき（釣竿１００を後端から軸線（ＡＬ）に沿って釣り糸ガイド２００を見るとき）、側支脚２２０Ｌはガイドリング２１０の左側縁（保持リング２１４の左側縁）から釣竿の先端側に延び、側支脚２２０Ｒはガイドリング２１０の右側縁（保持リング２１４の右側縁）から釣竿の先端側に延びる。側支脚２２０Ｌ，２２０Ｒは所定の形状に湾曲しながら延び、その下端付近で互いに近接する。この実施例において、側支脚２２０Ｌ，２２０Ｒは釣り糸ガイド２００を正面から見るとき（釣竿１００をその先端からその軸方向に見るとき）例えばＳ字状に湾曲しており、釣り糸ガイド２００を側面から見るとき（釣竿１００を側面から見るとき）例えばＳ字状に湾曲している。即ち、側支脚２２０Ｌ，２２０Ｒは釣り糸ガイド２００の正面及び側面から見るとき、いずれもＳ字状に湾曲している。
【００３７】
側支脚２２０Ｌ，２２０Ｒはその下端に釣竿の本体１１０への取付のための第１取付部２２２を備える。この実施例において、第１取付部２２２は平たく長い足の形状を有する。第１取付部２２２は釣竿の本体１１０の外周面と接触する下面２２２ａを有する。第１取付部２２２の下面２２２ａは若干の曲率で凹むようにまたは平らに形成され得る。
【００３８】
後支脚２３０はガイドリング２１０の下側から（保持リング２１４の下側から）側支脚２２０Ｌ，２２０Ｒと所定の距離だけ離隔して延びる。後支脚２３０は釣り糸ガイド２００を正面から見るときガイドリング２１０から直線に延びる。釣り糸ガイド２００を側面から見るとき、後支脚２３０はガイドリング２１０に対して所定の角度に傾いている。後支脚２３０のガイドリング２１０に対する傾斜角度は後支脚２３０が釣竿１００の軸線（（ＡＬ）に垂直となる範囲内で定められることができる。
【００３９】
後支脚２３０はその下端に釣竿の本体１１０への取付のための第２取付部２３２を備える。この実施例において、第２取付部２３２は平たく長い足の形状を有する。第２取付部２３２は釣竿の本体１１０の外周面と接触する下面２３２ａを有する。第２取付部２３２の下面２３２ａは若干の曲率で凹むようにまたは平らに形成され得る。
【００４０】
実施例による釣り糸ガイド２００は、釣竿１００を振り回して仕掛けをキャストする際に釣り糸を直線化（いわゆる、チョーク（ｃｈｏｋｅ））し、また、釣り糸が釣り糸ガイド２００に巻きついて発生し得る釣り糸の絡みを解消する。釣り糸絡みの解消は釣り糸ガイド２００を構成する構成要素の外形の特徴、例えば構成要素の輪郭線の特徴により達成される。図１１Ａ〜図１１Ｃは釣り糸ガイド２００を構成するガイドリング２１０、側支脚２２０Ｌ，２２０Ｒ及び後支脚２３０の輪郭線を示す。
【００４１】
図１１Ａ〜図１１Ｃを参照すると、釣り糸ガイド２００を正面から見るとき、ガイドリング２１０は外側輪郭線２１６を有し、側支脚２２０Ｌ，２２０Ｒは外側輪郭線２２４を有し、後支脚２３０は外側輪郭線２３４を有する。側支脚２２０Ｌ，２２０Ｒの外側輪郭線２２４は第１取付部２２２の下面２２２ａとは境界点（Ｐ１）で結合しガイドリング２１０の外側輪郭線２１６とは第１結合点（Ｐ２）で結合する。後支脚２３０の外側輪郭線２３４はガイドリング２１０の外側輪郭線と結合する。
【００４２】
また、釣り糸ガイド２００を側面から見るとき、ガイドリング２１０は後方輪郭線２１８を有し、後支脚２３０は後方輪郭線２３６を有し、側支脚２２０Ｌ，２２０Ｒは上側輪郭線２２６と下側輪郭線２２８を有する。ガイドリング２１０の後方輪郭線２１８は釣竿の後端側（矢印（Ｂ）の方向）に面する。後支脚２３０の後方輪郭線２３６は釣竿の後端側（矢印（Ｂ）の方向）に面しガイドリング２１０の後方輪郭線２１８と結合する。側支脚２２０Ｌ，２２０Ｒの上側輪郭線２２６は第１取付部２２２の上面２２２ｂとガイドリング２１０の間にあり、ガイドリング２１０の外側輪郭線２１６と第１結合点（Ｐ２）で結合する。側支脚２２０Ｌ，２２０Ｒの下側輪郭線２２８は第１取付部２２２の下面２２２ａとガイドリング２１０の間にあり、ガイドリング２１０の外側輪郭線２１６と第２結合点（Ｐ３）で結合する。側支脚２２０Ｌ，２２０Ｒの下側輪郭線２２８は上側輪郭線２２６と類似する。
【００４３】
実施例による釣り糸ガイドでは、ガイドリング２１０が釣竿１００の先端側に傾いている。従って、釣り糸ガイド２００を正面から見るとき（釣竿１００の後端から軸線（ＡＬ）に沿って釣り糸ガイド２００を見るとき）、ガイドリング２１０は円形でなく楕円形に見えるようになる。釣り糸ガイド２００の外形の特徴の説明のために、ガイドリング２１０をガイドリングに垂直な方向から見た図面を参照する。ガイドリング２１０を構成する保持リング２１４は円形であり、側面から見ると略平らである。保持リング２１４の上面が平らであるので、それに垂直な方向またはそれに直角の方向（図９に示す矢印（ＮＤ）の方向）からガイドリング２１０を見ると、ガイドリング２１０は円形に見えるようになる。本明細書において、保持リング２１４の上記平らな上面は「リング平面（ＲＰ）」として参照できる。また、ガイドリング２１０をリング平面（ＲＰ）に直角の方向から見たものは「ガイドリングを直角方向から見るとき」として参照できる。図９、図１０及び図１１Ｃには、ガイドリング２１０を直角方向から見た図面が示されている。また、図１１Ｂにおいて、ガイドリング２１０の後方輪郭線２１８はリング平面（ＲＰ）にあるものとして示されている。
【００４４】
図７〜図１２を参照して、釣り糸ガイド２００の各構成要素の外形の特徴について説明する。
【００４５】
釣り糸ガイド２００を側面から見るとき（図９，図１１Ｂ及び図１２参照）、ガイドリング２１０は釣竿１００の先端側（矢印（Ｔ）の方向）に第１角度（θ１）で傾いている。即ち、ガイドリング２１０の後方輪郭線２１８は第１水平線（ＨＬ１）に垂直な垂直線（ＶＬ）に対して釣竿１００の先端側に第１角度（θ１）で傾いている。ここで、第１水平線（ＨＬ１）は第１取付部２２２の下面２２２ａと第２取付部２３２の下面２３２ａに接する直線であり、釣竿の本体１１０の軸線（ＡＬ）と平行である。実施例において、ガイドリング２１０が釣竿１００の先端側に傾いた第１角度（θ１）は、リール１３０のスプール１３２が釣竿の軸線（ＡＬ）に対して傾く角度に対応するよう５°以上である。また、リール１３０から放出された螺旋状の釣り糸がガイドリング２１０に入るとき、上記スプール１３２の角度とガイドリング２１０の傾斜角度の差によって、ガイドリング２１０の下側に釣り糸が触れて釣り糸が不規則に動かないように、第１角度（θ１）は２０°以下である。
【００４６】
釣り糸ガイド２００を正面から見るとき（図９，図１０，図１１Ａ及び図１１Ｃ参照）、ガイドリング２１０の外側輪郭線２１６（即ち、保持リング２１４の外側輪郭線）は硬質リング２１２より外側にある保持リング２１４の円周の線分とこの線分の両端で変曲点（Ｐ５）を媒介として続く直線または曲線を含む。
【００４７】
ガイドリング２１０の外側輪郭線２１６をなす保持リング２１４の円周の線分はガイドリング２１０の中心（Ｃ０）よりも中心（Ｃ０）に対して下側に第２角度（θ２）で位置する地点で終わる。従って、ガイドリング２１０の外側輪郭線２１６は所定区間において円弧２１６ａを有する。円弧２１６ａの中心はガイドリング２１０の中心（Ｃ０）となり、円弧２１６ａはガイドリング２１０の中心（Ｃ０）を通る中心線（ＲＣＬ）から中心（Ｃ０）よりも下側に第２角度（θ２）で位置する２つの終点を有する。円弧２１６ａの終点が変曲点（Ｐ５）となる。即ち、ガイドリング２１０を直角方向から見るとき、ガイドリング２１０の外側輪郭線２１６をなす円弧２１６ａ（保持リング２１４の円周の線分）は変曲点（Ｐ５）で終了し、変曲点（Ｐ５）はガイドリング２１０の中心（Ｃ０）を通る中心線（ＲＣＬ）から第２角度（θ２）だけ下方に位置する（図１０及び図１１Ｃ参照）。実施例において、第２角度（θ２）の範囲は３０゜〜４５゜である。ガイドリング２１０の外側輪郭線２１６が３０°未満の第２角度（θ２）で変曲点（Ｐ５）に接する直線または曲線を有する場合、ガイドリング２１０において後支脚２３０に遷移する部分の幅が大きくなって、釣り糸ガイド２００の重量を増加させ外観を不良にし得る。また、ＰＥラインとリーダーを結束する結束部が仕掛けのキャスト時に不規則に動くと、結束部が上記遷移する部分に接触し得る。ガイドリング２１０の外側輪郭線２１６が４５°を超える第２角度（θ２）で変曲点（Ｐ５）に接する直線または曲線を有する場合、仕掛けのキャスト時に釣り糸の一部がガイドリング２１０の裏側（ガイドリング２１０の釣竿１００の先端に向かう側）に入り込んでガイドリング２１０に引っ掛かり得る。
【００４８】
ガイドリング２１０の外側輪郭線２１６は円弧２１６ａの変曲点（Ｐ５）から後支脚２３０の外側輪郭線２３４まで直線または第１曲線２１６ｂを有する。ガイドリング２１０の外側輪郭線２１６をなす上記直線は円弧２１６ａの変曲点（Ｐ５）における接線を含む。また、ガイドリング２１０の外側輪郭線２１６をなす第１曲線２１６ｂは円弧２１６ａの変曲点（Ｐ５）に接する曲線であり、外側輪郭線２１６より外側にある中心（Ｃ１）と曲率半径（Ｒ１）を有する。即ち、ガイドリング２１０の外側輪郭線２１６は、変曲点（Ｐ５）までは円弧２１６ａ（保持リング２１４の円周の線分）を含み、変曲点（Ｐ５）からは上記直線または中心（Ｃ１）及び曲率半径（Ｒ１）の第１曲線２１６ｂに変わって、後支脚２３０の外側輪郭線２３４と結合する。
【００４９】
図１０及び図１１Ｃに示す中心（Ｃ６）はガイドリング２１０の外側輪郭線２１６より内側にある任意の中心であり、図１０及び図１１Ｃに示す中心（Ｃ１）はガイドリング２１０の外側輪郭線２１６を構成する第１曲線２１６ｂの中心である。前述したように、ガイドリング２１０の外側輪郭線２１６は、ガイドリング２１０を直角方向から見るとき、ガイドリング２１０の中心（Ｃ０）から下側に第２角度（θ２）で位置する変曲点（Ｐ５）からはガイドリング２１０の外側輪郭線２１６より内側に中心（Ｃ６）を有する円弧（ＣＡ）を含まない。外側輪郭線２１６がこのような円弧（ＣＡ）を有する場合、釣り糸の一部がガイドリング２１０の裏側（ガイドリング２１０の釣竿先端に向かう側）に入り込んでガイドリング２１０に引っ掛かり得る。その代わりに、ガイドリング２１０の外側輪郭線２１６は変曲点（Ｐ５）から、これに接する接線の直線や、ガイドリング２１０の外側輪郭線２１６より外側に中心（Ｃ１）と曲率半径（Ｒ１）を有する第１曲線２１６ｂを含む。従って、ガイドリング２１０の外側輪郭線２１６はガイドリング２１０の中心（Ｃ０）から第２角度（θ２）（例えば、４５゜）だけ下側に位置する変曲点（Ｐ５）からは釣り糸をガイドリング２１０に引っ掛からせる円弧（ＣＡ）を含まない。他の実施例において、ガイドリング２１０の外側輪郭線２１６は変曲点（Ｐ５）の次に上記の直線を所定区間にわたって含むことができ、上記の直線の次に前述した第１曲線２１６ｂを含むことができる。また、第１曲線２１６ｂは外側輪郭線２１６より外側にある中心と曲率半径を有する複数の曲線からなることができる。
【００５０】
側支脚２２０Ｌ，２２０Ｒは釣り糸ガイド２００の正面図及び側面図においてＳ字状に湾曲している。従って、側支脚２２０Ｌ，２２０Ｒの外側輪郭線２２４は釣り糸ガイド２００を正面から見るときＳ字状に湾曲しており、上側輪郭線２２６は釣り糸ガイド２００を側面から見るときＳ字状に湾曲している。
【００５１】
ガイドリング２１０を側面から見るとき、側支脚２２０Ｌ，２２０Ｒの上側輪郭線２２６とガイドリング２１０の外側輪郭線２１６の第１結合点（Ｐ２）は、ガイドリング２１０を直角方向から見るとき、ガイドリング２１０の中心（Ｃ０）より上側に位置する。側支脚２２０Ｌ，２２０Ｒの上側輪郭線２２６とガイドリング２１０の外側輪郭線２１６の第１結合点（Ｐ２）はガイドリング２１０を直角方向から見るときガイドリング２１０の中心（Ｃ０）に対して中心（Ｃ０）より第３角度（θ３）で上側に位置する。実施例において、第３角度（θ３）は２５°〜４０°の範囲である。第３角度（θ３）が２５°未満の場合、釣り糸の糸絡み解消時に、釣り糸の一部（例えば、図１４〜図１９Ｂに示す釣り糸の一部１４０ｄ）が摩擦抵抗によりガイドリング２１０に再び引っ掛かり得る。また、釣り糸ガイド２００の重量と外観を考慮して、第３角度（θ３）は４０°以下となる。
【００５２】
ガイドリング（２１０）を側面から見るとき、側支脚２２０Ｌ，２２０Ｒの下側輪郭線２２８とガイドリング２１０の外側輪郭線２１６の第２結合点（Ｐ３）は、ガイドリング２１０を直角方向から見るとき、ガイドリング２１０の中心（Ｃ０）より下側に位置する。第２結合点Ｐ３がガイドリング２１０の中心（Ｃ０）より上側に位置する場合、ガイドリング２１０の外側輪郭線２１６には、釣り糸がガイドリング２１０に沿って移動するときガイドリング２１０の裏面（釣竿（１００）の先端側に面する面）に入り込んでガイドリング２１０に引っ掛かるようにする円弧が広い範囲にわたり形成され得る。しかし、第２結合点（Ｐ３）がガイドリング２１０の中心（Ｃ０）より下側に位置するので、このような円弧の区域が減少して、釣り糸がガイドリング２１０の裏面に入り込むのを防ぐ。
【００５３】
また、釣り糸ガイド２００を側面から見るとき（図９及び図１１Ｂ参照）、側支脚２２０Ｌ，２２０Ｒの上側輪郭線２２６を構成する直線または曲線において釣竿１００の後端側（矢印（Ｂ）の方向）に最も傾いた直線または曲線の接線（ＴＬ）は釣竿１００の後端側に垂直線（ＶＬ）に対して第４角度（θ４）で傾いている。実施例において、第４角度（θ４）は３０゜〜６０゜の範囲である。第４角度（θ４）が３０°未満の場合、側支脚２２０Ｌ，２２０ＲをＳ字状に形成しながら全長を短くするのが難しく、釣り糸ガイド２００の撓みを所望の水準に減少させるのが難しい。また、第４角度（θ４）が６０°を超える場合、釣り糸の糸絡みの解消時に、釣り糸の一部（例えば、図１４〜図１９Ｂに示す釣り糸の一部１４０ｄ）が円滑にガイドリング２１０の頂点に移動できない。
【００５４】
釣り糸ガイド２００を正面から見るとき（図８及び図１１Ａ参照）、側支脚２２０Ｌ，２２０Ｒの外側輪郭線２２４は第１取付部２２２の下面との境界点（Ｐ１）とガイドリング２１０の外側輪郭線２１６との第１結合点（Ｐ２）の間に存在する。詳しくは、側支脚２２０Ｌ，２２０Ｒの外側輪郭線２２４は、その下端から上方へ所定の区間において、第１取付部２２２の下面との境界点（Ｐ１）から境界点（Ｐ１）を通る第１水平線（ＨＬ１）に対して上方に第５角度（θ５）で延びる。即ち、側支脚２２０Ｌ，２２０Ｒの外側輪郭線２１６は第１取付部２２２の下面との境界点（Ｐ１）から第１水平線（ＨＬ１）に対して第５角度（θ５）で傾斜している。実施例において、第５角度（θ５）は４５°以上９０°以下である。第５角度（θ５）が４５°未満の場合、側支脚２２０Ｌ，２２０Ｒの下端と第１取付部２２２の間に釣り糸の移動を阻止する凹部が形成され得る。第５角度（θ５）が４５°以上９０°以下であるため、釣り糸の一部（例えば、図１４〜図１９Ｂに示す釣り糸の一部１４０ｅ）は側支脚２２０Ｌ，２２０Ｒの下端と第１取付部２２２の間に引っ掛からず円滑に移動することができる。他の例として、第５角度（θ５）は４５°以上８５°以下であってもよい。第５角度（θ５）が９０°である場合、側支脚２２０Ｌ，２２０Ｒの間の間隔が極めて狭くなり、側支脚２２０Ｌ，２２０Ｒはそれらの間の隙間部分が腐食し得る。第５角度（θ５）が８５°以下である場合、側支脚２２０Ｌ，２２０Ｒの間には腐食を防ぐことのできる間隔が与えられる。
【００５５】
また、釣り糸ガイド２００を正面から見るとき（図８，図１１Ａおよび図１１Ｂ参照）、側支脚２２０Ｌ，２２０Ｒの外側輪郭線２２４は外側輪郭線２２４より外側に位置する中心（Ｃ２）及び曲率半径（Ｒ２）を有する第２曲線２２４ａと、外側輪郭線２２４より内側に位置する中心（Ｃ３）及び曲率半径（Ｒ３）を有する第３曲線２２４ｂを含む。即ち、側支脚２２０Ｌ，２２０Ｒの外側輪郭線２２４は第１取付部２２２の下面との境界点（Ｐ１）から上方に一定区間では第２曲線２２４ａとして延び、第２曲線２２４ａから変曲した第３曲線２２４ｂとしてガイドリング２１０との第１結合点（Ｐ２）まで延びる。
【００５６】
図１２を参照すると、釣り糸ガイド２００を正面から見るとき、釣り糸ガイド２００は、ガイドリング２１０の中心（Ｃ０）を通り、第１水平線（ＨＬ１）に平行な第２水平線（ＨＬ２）に最大幅（Ｗｍａｘ）を有さず、第２水平線（ＨＬ２）より下側に最大幅（Ｗｍａｘ）を有する。即ち、釣り糸ガイド２００を正面及び側面から見るとき、釣り糸ガイド２００の最大幅（Ｗｍａｘ）を通り第１水平線ＨＬ１に平行な第４水平線（ＨＬ４）は、側支脚２２０Ｌ，２２０Ｒの外側輪郭線２２４のうち第３曲線２２４ｂ（外側輪郭線２２４より内側に位置する中心（Ｃ３）と曲率半径（Ｒ３）を有する曲線）の範囲に位置する。また、側支脚２２０Ｌ，２２０Ｒの外側輪郭線２２４の第３曲線２２４ｂは釣り糸ガイド２００の最大幅（Ｗｍａｘ）を通る第４水平線（ＨＬ４）より上でガイドリング２１０の外側輪郭線２１６と第１結合点（Ｐ２）で結合する。他の実施例において、側支脚２２０Ｌ，２２０Ｒの外側輪郭線２２４は第２曲線２２４ａの代わりに直線を含むことができる。この場合、側支脚２２０Ｌ，２２０Ｒの外側輪郭線２２４を構成する直線は、第１取付部２２２との境界点（Ｐ１）から第１水平線（ＨＬ１）に対して第５角度（θ５）で所定区間にわたって上方に延び、上記直線の終点から第３曲線２２４ｂが続く。また、側支脚２２０Ｌ，２２０Ｒの外側輪郭線２２４の第３曲線２２４ｂは複数の曲線からなることができ、この場合、曲線は釣り糸が引っ掛かる凸凹がないように交点で接しながら繋がる。
【００５７】
釣り糸ガイド２００を側面から見るとき（図９および図１１Ｂ参照）、側支脚２２０Ｌ，２２０Ｒの上側輪郭線２２６は、第１取付部２２２の上面２２２ｂから所定区間において第４曲線２２６ａと、第４曲線２２６ａの終点から所定区間にわたり延びる直線２２６ｂと、直線２２６ｂの終点と第１結合点（Ｐ２）の間に位置して第４曲線２２６ａとは反対に湾曲した第５曲線２２６ｃを含む。即ち、図９及び図１１Ｂに示すように、側支脚２２０Ｌ，２２０Ｒの上側輪郭線２２６は、第１取付部２２２から第４曲線２２６ａとして延び、第４曲線２２６ａから直線２２６ｂとして延び、直線２２６ｂから第５曲線２２６ｃとして延びて、ガイドリング２１０の外側輪郭線２１６と第１結合点（Ｐ２）で結合する。
【００５８】
釣り糸ガイド２００を側面から見るとき、第４曲線２２６ａは上側輪郭線２２６より釣竿の後端側に位置する中心（Ｃ４）及び曲率半径（Ｒ４）を有し、第５曲線２２６ｃは上側輪郭線２２６より釣竿の先端側に位置する中心（Ｃ５）及び曲率半径（Ｒ５）を有する。また、第５曲線２２６ｃは側支脚の外側輪郭線２２４の第３曲線２２４ｂの範囲に存在する。即ち、釣り糸ガイド２００を側面から見るとき、側支脚２２０Ｌ，２２０Ｒの上側輪郭線２２６は釣竿の後端側に位置する中心（Ｃ４）及び曲率半径（Ｒ４）を有する第４曲線２２６ａを含み、外側輪郭線２２４の第３曲線２２４ｂの範囲では、第４曲線２２６ａとは反対に湾曲した第５曲線２２６ｃを含む。また、釣り糸ガイド２００を側面から見るとき、第５曲線２２６ｃは第１水平線（ＨＬ１）に平行に最大幅（Ｗｍａｘ）を通る第４水平線（ＨＬ４）の上側に位置する。第４曲線２２６ａと第５曲線２２６ｃの間に位置する直線２２６ｂは前述した上側輪郭線２２６の釣竿の後端側に最も傾いた直線（ＴＬ）であり、垂直線（ＶＬ）に対して第４角度（θ４）で釣竿の後端側に傾いている。
【００５９】
他の実施例において、側支脚２２０Ｌ，２２０Ｒの上側輪郭線２２６は前述した直線２２６ｂを備えなくてもよい。このような例では、第４曲線２２６ａの終点に第４曲線２２６ａから変曲する第５曲線２２６ｃが続き、第４曲線２２６ａと第５曲線２２６ｃの境界における接線は第４角度（θ４）で第１水平線（ＨＬ１）に対して傾いている。また、側支脚２２０Ｌ，２２０Ｒの上側輪郭線２２６を構成する第４曲線２２６ａと第５曲線２２２ｃはそれぞれ複数の曲線からなることができ、この場合、曲線は釣り糸が引っ掛かる凸凹がないように交点で接しながら繋がる。
【００６０】
側支脚２２０Ｌ，２２０Ｒの下側輪郭線２２８は上側輪郭線２２６と類似の形状を有する。下側輪郭線２２８は第１取付部２２２から延びる曲線（例えば、第４曲線２２６ａのように釣竿後端側に位置する中心を有する曲線）とこの曲線から延びる直線を含むことができる。
【００６１】
このように、側支脚２２０Ｌ，２２０Ｒは釣り糸ガイド２００を正面及び側面から見るときＳ字状を有する。詳しくは、釣り糸ガイド２００を正面から見るとき、側支脚２２０Ｌ，２２０Ｒの外側輪郭線２２４は第１取付部２２２から外側に向かって曲率半径（Ｒ２）を有する第２曲線２２４ａとして延び、第２曲線２２４ａから内側に向かって曲率半径（Ｒ３）を有する第３曲線２２４ｂとして延びる。また、図１２に示すように、第１水平線（ＨＬ１）からガイドリング２１０の中心（Ｃ０）を通る第２水平線（ＨＬ２）までの高さを半分に分ける第３水平線（ＨＬ３）で、側支脚２２０Ｌ，２２０Ｒの外側輪郭線２２４の第２曲線２２４ａは第３水平線（ＨＬ３）の下側領域（Ｈ１）に位置し、釣り糸ガイド２００の最大幅（Ｗｍａｘ）を通る第４水平線（ＨＬ４）は第３水平線（ＨＬ３）の上側領域（Ｈ２）に位置する。即ち、釣り糸ガイド（２００）の最大幅（Ｗｍａｘ）を通る第４水平線（ＨＬ４）は第３曲線２２４ｂの範囲内に位置する。また、側支脚２２０Ｌ，２２０Ｒを側面から見るとき、上側輪郭線２２６は第３曲線２２４ｂの範囲内で、また最大幅（Ｗｍａｘ）が位置する第４水平線（ＨＬ４）より上で、第４曲線２２６ａとは逆に湾曲し曲率半径（Ｒ５）を有する第５曲線２２６ｃに変わる。
【００６２】
釣り糸ガイド２００を側面から見るとき（図９および図１１Ｂ参照）、後支脚２３０の後方輪郭線２３６はガイドリング２１０の後方輪郭線２１８に対して傾いている。即ち、後支脚２３０の後方輪郭線２３６は垂直線（ＶＬ）に対して釣竿１００の先端側にガイドリング２１０の後方輪郭線２１８の第１角度（θ１）以下の角度で傾いている。また、釣り糸ガイド２００を側面から見るとき、後支脚２３０の後方輪郭線２３６はガイドリング２１０の後方輪郭線２１８から第１角度（θ１）以下の角度で延びる。ガイドリング２１０のリング平面（ＲＰ）を基準とするとき、後支脚２３０の後方輪郭線２３６は第１角度（θ１）以下の角度で釣竿１００の先端側に曲がっている。また、釣り糸ガイド２００を側面から見るとき、ガイドリング２１０の後方輪郭線２１８と後支脚２３０の後方輪郭線２３６の境界には凹む線が存在しない。後支脚２３０の後方輪郭線２１８がガイドリング２１０に対して曲がっている角度は、前述した第１角度（θ１）と同じとき、図９，図１１Ｂ及び図１２に示された通り、後支脚２３０の後方輪郭線２１８は釣竿の本体１１０に垂直である（第１水平線（ＨＬ１）に垂直である）。
【００６３】
図１３Ａ〜図１３Ｄは仕掛けのキャスト時に実施例による釣り糸ガイド２００に釣り糸が絡まる例を示す。図１３Ａ〜図１３Ｄにおいて、矢印（Ｆ）はキャスト時に釣り糸にかかる張力を指す。図１３Ｂ及び図１３Ｃにおいて、矢印（ＣＷ）はキャスト時に釣竿１００に加えられる横風を指す。
【００６４】
図１３Ａを参照すると、仕掛けのキャスト時に釣り糸１４０は釣竿１００のリール１３０から螺旋状に放出される。螺旋状に放出された釣り糸１４０はガイドリング２１０を通過しながら直線化する。ガイドリング２１０を通過する釣り糸の速度が低くなると、図１３Ｂに示すように、ガイドリング２１０を通過する前の釣り糸の一部１４０ｂがガイドリング２１０を通過した釣り糸の一部１４０ａと釣り糸ガイド２００との間に位置し得る。このとき、横風（ＣＷ）により、図１３Ｃ及び図１３Ｄに示すように、ガイドリング２１０を通過する前の釣り糸の一部１４０ｂがガイドリング２１０を通過した釣り糸の一部１４０ａの周りを回って釣り糸ガイド２００に巻きついて、糸絡みが発生し得る。糸絡みが発生すると、釣り糸ガイド２００のガイドリング２１０の上側には釣り糸１４０が折り返された折り返し部１４０ｃが形成される。釣り糸の一部１４０ｄが後支脚２３０の下端に引っ掛かるようになり、釣り糸の一部１４０ｅが側支脚２２０Ｌ，２２０Ｒの下端にかかるようになって、釣り糸の一部１４０ｆがガイドリング２１０の下側外周の下に位置するようになる。
【００６５】
図１４〜図１９Ｂを参照して、釣り糸の絡みが解消される例を説明する。
図１３Ｄに示すように釣り糸の絡みが発生しても、釣り糸１４０にはキャスト時の力による張力（Ｆ）が継続して作用している。このような張力が作用する状況で、釣り糸ガイド２００の上記のような外形的特徴により釣り糸１４０の絡みが解消される。
【００６６】
図１４は、図１３Ｄに示すようにキャスト時に糸絡みが発生した状況で釣り糸１４０が張力（Ｆ）により移動しながら糸絡みから解消されるのを例示する。図１４において、矢印（ＬＭ１，ＬＭ２，ＬＭ３）は釣り糸１４０の一部１４０ｄ，１４０ｅ，１４０ｆの移動をそれぞれ指す。釣り糸１４０は張力（Ｆ）の方向に引っ張られるようになり、折り返し部１４０ｃはおおむねその場に維持される。
【００６７】
後支脚２３０に引っ掛かった釣り糸の一部１４０ｄは矢印（ＬＭ１）の方向に後支脚２３０の後方輪郭線２３６に沿って後方輪郭線２３６とガイドリング２１０の後方輪郭線２１８との境界を通ってガイドリング２１０側へ移動する。後支脚２３０の後方輪郭線２３６は釣竿１００に垂直であるか、ガイドリング２１０の後方輪郭線２１８から第１角度（θ１）以下の角度で釣竿１００の先端側に曲がっている。即ち、後支脚２３０の後方輪郭線２３６は釣竿１００の後端側に傾いていない。また、後支脚２３０の後方輪郭線２３６とガイドリング２１０の後方輪郭線２１８の間には釣り糸の一部１４０ｄの移動を阻害するいかなる凹部もない。従って、図１５Ａに示すように、釣り糸の一部１４０ｄはキャスト時の張力（Ｆ）によってガイドリング２１０側へ移動する。
【００６８】
また、釣り糸の一部１４０ｄの上方移動に応じて、側支脚２２０Ｌ，２２０Ｒの下端に引っ掛かった釣り糸の一部１４０ｅが矢印（ＬＭ２）の方向に側支脚２２０Ｌ，２２０Ｒに沿って上方に移動する。側支脚２２０Ｌ，２２０Ｒの外側輪郭線２２４は第１取付部２２２との境界点（Ｐ１）で第５角度（θ５）（例えば、４５゜）で上方に向かう。従って、側支脚２２０Ｌ，２２０Ｒの下端には釣り糸の移動を阻害する凹部がない。即ち、図１５Ｂに示すように、釣り糸の一部１４０ｅは側支脚２２０Ｌ，２２０Ｒの下端に引っ掛からず、側支脚２２０Ｌ，２２０Ｒの外側輪郭線のうち第２曲線２２４ａに沿って上方に移動する。
【００６９】
また、釣り糸の一部１４０ｄの移動に応じて、ガイドリング２１０の直下に位置する釣り糸の一部１４０ｆがガイドリング２１０の下側外周を越えて矢印（ＬＭ３）の方向に上方に移動する。ガイドリング２１０の外側輪郭線２１６は変曲点（Ｐ５）から外側輪郭線２１６の内側に位置する中心（Ｃ６）を有する円弧（ＣＡ）を有さない。ガイドリング２１０の外側輪郭線２１６は変曲点（Ｐ５）から変曲点（Ｐ５）に接する直線または外側輪郭線２１６の外側に位置する中心（Ｃ１）を有する第１曲線２１６ｂを有する。従って、図１５Ｃ及び図１５Ｄに示すように、釣り糸の一部１４０ｆはガイドリング２１０の下側の外周に引っ掛かることなく上方に移動する。
【００７０】
図１６は、図１４に示す釣り糸の移動の次の釣り糸の移動を例示する。キャスト時の張力（Ｆ）が作用するので、ガイドリング２１０側に移動した釣り糸の一部１４０ｄとガイドリング２１０の下側外周を越えた釣り糸の一部１４０ｆはガイドリング２１０の後方輪郭線２１８に沿って矢印（ＬＭ４）の方向に上方に移動する。また、側支脚２２０Ｌ，２２０Ｒの外側輪郭線２２４に沿って移動した釣り糸の一部１４０ｅは側支脚２２０Ｌ，２２０Ｒの上側輪郭線２２４に沿って矢印（ＬＭ５）の方向に上方に移動する。即ち、図１７Ａに示すように、ガイドリング２１０が釣竿の先端側に第１角度（θ１）で傾いているので、釣り糸の一部１４０ｄ，１４０ｆはガイドリング２１０の傾いた第１角度（θ１）に合せてガイドリング２１０の後方輪郭線２１８に沿って上方に移動する。第１角度（θ１）が５゜〜２０゜の範囲であるので、釣り糸の一部１４０ｄ，１４０ｆは円滑に上方に移動する。ガイドリング２１０の第１角度（θ１）と側支脚２２０Ｌ，２２０Ｒの第４角度（θ４）によって、釣り糸ガイド２００を側面から見るとき、釣り糸の一部１４０ｄ，１４０ｆの矢印（ＬＭ４）方向への移動と釣り糸の一部１４０ｅの矢印（ＬＭ５）方向への移動は三角形（Ｔ）の斜辺に沿うようになる（図１７Ｂ参照）。矢印（ＬＭ５）方向への移動と関連して、折り返し部１４０ｃを支点として釣り糸に張力（Ｆ）が作用すると、釣り糸の一部１４０ｄ，１４０ｅは三角形（Ｔ）を巻く形となり、側支脚２２０Ｌ，２２０Ｒにおける第４角度（θ４）が３０゜〜６０゜の範囲であるので、釣り糸の一部１４０ｄ，１４０ｅは円滑に三角形（Ｔ）の頂点に向かう。折り返し部１４０ｃに釣り糸の一部１４０ｄ，１４０ｅが接近するに従って折り返し部１４０ｃにおける張力（Ｆ）は弱くなり得るが、釣り糸ガイド２００を側面から見たときになされる三角形（Ｔ）の形状によって、釣り糸の一部１４０ｄ，１４０ｅ，１４０ｆは三角形（Ｔ）の頂点に向かって移動することができる。
【００７１】
図１８は図１６に示すように釣り糸が移動した次の釣り糸の移動を例示する。図１８，図１９Ａ及び図１９Ｂを参照すると、折り返し部１４０ｃの移動なしに釣り糸１４０の絡みは解消される。即ち、釣り糸の一部１４０ｄがガイドリング２１０の上端頂点を越えれば釣り糸の絡みが解消される。
【００７２】
ガイドリング２１０の外側輪郭線２１６と側支脚２２０Ｌ，２２０Ｒの上側輪郭線２２６（例えば、第４曲線２２６ａ及び直線２２６ｂ）に沿って上方に移動する釣り糸の一部１４０ｄが釣り糸ガイド２００の最大幅（Ｗｍａｘ）を越えると、側支脚２２０Ｌ，２２０Ｒの外側輪郭線２２４の第３曲線２２４ｂと上側輪郭線２２６の第５曲線２２６ｃとに沿って釣り糸の一部１４０ｄは上方に移動する。側支脚２２０Ｌ，２２０Ｒの上側輪郭線２２４とガイドリング２１０の外側輪郭線２１６の第１結合点（Ｐ２）がガイドリング２１０の中心（Ｃ０）より上側に第３角度（θ３）で位置するので、釣り糸の一部１４０ｄは外側輪郭線２２４の第３曲線２２４ｂを通ってガイドリング２１０の外側輪郭線２１６の円弧２１６ａに沿って折り返し部１４０ｃ側へ移動して糸絡みが解消される。側支脚２２０Ｌ，２２０Ｒの上側輪郭線２２６とガイドリング２１０の外側輪郭線２１６の間の第１結合点（Ｐ２）がガイドリング２１０の中心（Ｃ０）に対して第３角度（θ３）（例えば、２５゜）以上の角度で上側に位置するので、釣り糸の一部１４０ｄは摩擦抵抗によりガイドリング２１０に再び引っ掛かることがない。
【００７３】
図２０Ａ〜図２０Ｃは実施例による釣り糸ガイド２００に釣り糸の結束部が挟まらない例を示す。
【００７４】
釣り糸１４０はＰＥライン１４１と、リーダー１４２と、これらを結束する結束部１４３を有する。前述したように、後支脚２３０の後方輪郭線２３６はガイドリング２１０のリング平面（ＲＰ）に対して釣竿１００の先端側に傾いており、その傾く角度は釣竿１００に垂直な角度までである。即ち、後支脚２３０の後方輪郭線２３０はガイドリング２１０のリング平面（ＲＰ）の延長線に存在しない。従って、仕掛けのキャスト時にリーダー１４２、結束部１４３などは後支脚２３０と接触しない。また、釣り糸ガイド２００は１つの後支脚２３０を備える。従って、仕掛けのキャスト時に結束部１４３が不規則的に動くとしても、リーダー１４２、結束部１４３などの後支脚２３０との接触は最小限に抑えられる。また、釣り糸ガイド２００は後支脚２３０とガイドリング２１０の間に結束部１４３が挟まり得る狭い間隙を有さない。また、側支脚２２０Ｌ，２２０Ｒの外側輪郭線２２４は、中心（Ｃ３）と曲率半径（Ｒ３）を有する第３曲線２２４ｂが最大幅（Ｗｍａｘ）の上側でガイドリング２１０と第１結合点（Ｐ２）で結合するので、ガイドリング２１０を通過した後のリーダー１４２および結束部１４３などが、完全に直線化せず若干の螺旋状を有しても、側支脚２２０Ｌ，２２０Ｒとの接触は最小限に抑えられる。
【００７５】
図１１Ａ及び図１２を再び参照して、実施例による釣り糸ガイド２００が有する撓みを減少させる特徴に関して説明する。
【００７６】
リーダー１４２を使用する釣りの例では、釣り糸ガイドに加えられる衝撃が大きい。従って、衝撃による振動を抑えるためには、釣り糸ガイドの撓みを減少させることが求められ、釣り糸ガイドの撓みを減少させるためには釣り糸ガイドの全長を短くすることが効果的である。
【００７７】
実施例の釣り糸ガイド２００において、側支脚２２０Ｌ，２２０Ｒの上側輪郭線２２６は、その下側に釣竿後端側に位置する中心（Ｃ４）及び曲率半径（Ｒ４）を有する第４曲線２２６ａと、その上側に釣竿先端側に位置する中心（Ｃ５）及び曲率半径（Ｒ５）を有する第５曲線２２６ｃを有する。即ち、側支脚２２０Ｌ，２２０Ｒの上側輪郭線２２６は中心（Ｃ４）を有する第４曲線２２６ａからこれと逆方向に湾曲し中心（Ｃ５）を有する第５曲線２２６ｃからなる。このように、上側輪郭線２２６がＳ字状からなるので、釣り糸ガイド２００は、糸絡みの解消と、側支脚２２０Ｌ，２２０Ｒの強度を維持しながらもさらに短い全長（ＯＬ）を有することができる。図１５Ｂおよび図１７Ａで例示する糸絡み解消のための釣り糸の移動において、側支脚２２０Ｌ，２２０Ｒの下端に釣り糸の移動を阻止する凹部がないため、釣り糸の一部１４０ｅは側支脚２２０Ｌ，２２０Ｒの外側輪郭線のうち第２曲線２２４ａに沿って上側に移動する。従って、側支脚２２０Ｌ，２２０Ｒの下部は第４角度（θ４）と同じ傾斜で垂直線（ＶＬ）に対して傾く必要はなく、側支脚２２０Ｌ，２２０Ｒの下部を第４曲線２２６ａの曲率半径（Ｒ４）程度に湾曲させることによって、釣り糸ガイド２００の全長（ＯＬ）を短くすることができる。図１８、図１９Ａ及び図１９Ｂで例示する糸絡みの解消のための釣り糸の移動において、釣り糸の一部１４０ｄが釣り糸ガイド２００の最大幅（Ｗｍａｘ）を越えると、釣り糸ガイド２００の幅が減少するので、釣り糸の一部１４０ｄはガイドリング２１０の外周に沿って上方に移動する。従って、釣り糸の一部１４０ｄが釣り糸ガイド２００の最大幅（Ｗｍａｘ）を越えて移動するとき、側支脚２２０Ｌ，２２０Ｒの傾斜は大きく必要としなくてもよい。従って、側支脚２２０Ｌ，２２０Ｒの上側輪郭線２２６の上側に位置する、釣竿先端側に位置する中心（Ｃ５）を有する第５曲線２２６ｃはその下側の第４曲線２２６ａと逆方向に湾曲することができるので、釣り糸ガイド２００の全長（ＯＬ）を短くすることができる。このように、実施例の釣り糸ガイド２００は側支脚２２０Ｌ，２２０Ｒの強度と糸絡み解消のバランスを考慮して、第１及び第２取付部２２２，２３２の下面に接する第１水平線（ＨＬ１）とガイドリング２１０の中心（Ｃ０）を通る第２水平線（ＨＬ２）までの高さを半分に分けた第３水平線（ＨＬ３）において、釣り糸ガイド２００の最大幅（Ｗｍａｘ）は水平線（ＨＬ３）の上側領域（Ｈ２）に位置し、上側輪郭線２２６の第５曲線２２６ｃの少なくとも一部が上側領域（Ｈ２）に位置する。側支脚２２０Ｌ，２２０Ｒの上側輪郭線２２６を構成する第４曲線２２６ａと第５曲線２２６ｃは、２つ以上の曲線または線分を利用してなり得る。
【００７８】
また、釣り糸ガイド２００を正面から見るとき、側支脚２２０Ｌ，２２０Ｒの外側輪郭線２２４は第１取付部２２２から第１取付部２２２の下面に接する第１水平線（ＨＬ１）に対して４５゜以上の角度（第５角度（θ５））で傾いている。従って、実施例の釣り糸ガイド２００は従来技術の釣り糸ガイドに比べて大きい角度で第１取付部２２２に延びる側支脚２２０Ｌ，２２０Ｒを有する。このように、側支脚２２０Ｌ，２２０Ｒが大きな角度で第１取付部２２２に延びるので、側支脚２２０Ｌ，２２０Ｒは大きな曲げ角度を有するようになり、従って側支脚２２０Ｌ，２２０Ｒのプレス加工によって側支脚２２０Ｌ，２２０Ｒに加工硬化をもたらし、釣り糸ガイド２００はより一層高い剛性を得ることができる。また、側支脚２２０Ｌ，２２０Ｒの曲げに対する抵抗が大きく、釣り糸ガイド２００の撓みを大きく減少させることができる。
【００７９】
図２１Ａ及び図２１Ｂは他の実施例による釣り糸ガイドを示す。図２１Ａ及び図２１Ｂに示す釣り糸ガイド３００は前述した実施例の釣り糸ガイド２００と比べ、全長（ＯＬ）より大きい全高（ＯＨ）を有する。上記全長（ＯＬ）は後支脚３３０の第２取付部３３２の釣竿後端側の端と側支脚３２０Ｌの第１取付部３２２の釣竿先端側の端の間の長さで定義される。上記全高（ＯＨ）は第１及び第２取付部３２２，３３２の下面に接する第１水平線（ＨＬ１）とガイドリング２１０の上端の間の高さで定義される。
【００８０】
図２２はさらに他の実施例による釣り糸ガイドを示す。図２２に示す釣り糸ガイド４００では、前述した実施例の釣り糸ガイド２００と比べ、側支脚４２０Ｌの上側輪郭線とガイドリング２１０の外側輪郭線の第１結合点（Ｐ２）がより上側に位置して、さらに円滑な糸絡みの解消を可能にする。また、側支脚４２０Ｌの幅は前述した実施例の釣り糸ガイド２００に比べてさらに広い。また、側支脚４２０Ｌはガイドリング２１０に隣接した開口４２９を有し、幅が広い側支脚を有しながら軽量の釣り糸ガイド４００を実現する。
【００８１】
図２３はさらに他の実施例による釣り糸ガイドを示す。図２３に示す釣り糸ガイド５００では、側支脚２２０Ｌ，２２０Ｒの第１取付部５２２と後支脚２３０の第２取付部５３２がリング状からなっている。このような釣り糸ガイド５００は振出式釣竿に用いられる。
【００８２】
以上で説明した本発明は、前述した実施例及び添付の図面により限定されるものではない。本発明の技術的思想を逸脱しない範囲で様々な置換、変形及び変更が可能であるということは本発明の属する技術分野で通常の知識を有する者において明白である。
【符号の説明】
【００８３】
１００  釣竿、１１０  釣竿本体、１３０  リール、１４０  釣り糸、２００，３００，４００，５００  釣り糸ガイド、２１０  ガイドリング、２１６  ガイドリングの外側輪郭線、２１８  ガイドリングの後方輪郭線、２２０Ｌ，２２０Ｒ  側支脚、２２２  第１取付部、２２４  側支脚の外側輪郭線、２２６  側支脚の上側輪郭線、２２８  側支脚の下側輪郭線、２３０  後支脚、２３２  第２取付部、２３４  後支脚の外側輪郭線、２３６  後方支脚の後方輪郭線。
【図１Ａ】
0005940738.tif 000002
【図１Ｂ】
0005940738.tif 000003
【図１Ｃ】
0005940738.tif 000004
【図２Ａ】
0005940738.tif 000005
【図２Ｂ】
0005940738.tif 000006
【図２Ｃ】
0005940738.tif 000007
【図２Ｄ】
0005940738.tif 000008
【図３Ａ】
0005940738.tif 000009
【図３Ｂ】
0005940738.tif 000010
【図３Ｃ】
0005940738.tif 000011
【図４】
0005940738.tif 000012
【図５】
0005940738.tif 000013
【図６】
0005940738.tif 000014
【図７】
0005940738.tif 000015
【図８】
0005940738.tif 000016
【図９】
0005940738.tif 000017
【図１０】
0005940738.tif 000018
【図１１Ａ】
0005940738.tif 000019
【図１１Ｂ】
0005940738.tif 000020
【図１１Ｃ】
0005940738.tif 000021
【図１２】
0005940738.tif 000022
【図１３Ａ】
0005940738.tif 000023
【図１３Ｂ】
0005940738.tif 000024
【図１３Ｃ】
0005940738.tif 000025
【図１３Ｄ】
0005940738.tif 000026
【図１４】
0005940738.tif 000027
【図１５Ａ】
0005940738.tif 000028
【図１５Ｂ】
0005940738.tif 000029
【図１５Ｃ】
0005940738.tif 000030
【図１５Ｄ】
0005940738.tif 000031
【図１６】
0005940738.tif 000032
【図１７Ａ】
0005940738.tif 000033
【図１７Ｂ】
0005940738.tif 000034
【図１８】
0005940738.tif 000035
【図１９Ａ】
0005940738.tif 000036
【図１９Ｂ】
0005940738.tif 000037
【図２０Ａ】
0005940738.tif 000038
【図２０Ｂ】
0005940738.tif 000039
【図２０Ｃ】
0005940738.tif 000040
【図２１Ａ】
0005940738.tif 000041
【図２１Ｂ】
0005940738.tif 000042
【図２２】
0005940738.tif 000043
【図２３】
0005940738.tif 000044